(57)【特許請求の範囲】
【請求項１】
被写体の画像を撮像する撮像装置と、前記画像に対して画像処理を行う画像処理装置とを備える画像処理システムであって、
前記撮像装置は、
前記画像を撮像する撮像部と、
前記画像に対して解像度変換を行う解像度変換部と、
前記画像に対してエッジ強調を行うエッジ強調処理部と、
前記解像度変換部による解像度変換の処理内容を示す情報である解像度変換情報、及び前記エッジ強調処理部によるエッジ強調が解像度変換の前に行われたか後に行われたかを示す情報を含むエッジ強調処理情報を、前記画像に対応づけて格納する格納部と、
解像度変換された前記画像に対応づけて、前記解像度変換情報及び前記エッジ強調処理情報を出力する出力部と
を備え、
前記画像処理装置は、
前記画像、前記解像度変換情報、及び前記エッジ強調処理情報を受信する受信部と、
前記画像に対してエッジ強調を行うエッジ強調処理部と、
前記解像度変換情報及び前記エッジ強調処理情報に基づいて、前記エッジ強調処理部によるエッジ強調の度合いを制御する制御部と
を備えることを特徴とする画像処理システム。
【請求項２】
画像に対して画像処理を行う画像処理装置であって、
前記画像、前記画像に対して行われた解像度変換の処理内容を示す解像度変換情報、及び前記画像に対して行われたエッジ強調が解像度変換の前に行われたか後に行われたかを示す情報を含むエッジ強調処理情報を受信する受信部と、
前記画像に対してエッジ強調を行うエッジ強調処理部と、
前記解像度変換情報及び前記エッジ強調処理情報に基づいて、前記エッジ強調処理部によるエッジ強調の度合いを制御する制御部と
を備えることを特徴とする画像処理装置。
【請求項３】
前記制御部は、前記解像度変換情報が示す解像度変換の大きさが大きくなるに従って、前記エッジ強調処理部によるエッジ強調の度合いを大きくすることを特徴とする請求項２に記載の画像処理装置。
【請求項４】
前記受信部は、前記解像度変換情報として、解像度変換前後の解像度を示す情報を受信し、
前記制御部は、解像度変換前後の解像度の差が大きくなるに従って、前記エッジ強調処理部によるエッジ強調の度合いを大きくすることを特徴とする請求項２に記載の画像処理装置。
【請求項５】
前記解像度変換が、電子ズーミング処理における画素の補間処理による解像度変換である場合、
前記受信部は、前記解像度変換情報として、前記電子ズーミング処理によるズーム倍率を示す情報を受信し、
前記制御部は、前記ズーム倍率に基づいて、前記エッジ強調処理部によるエッジ強調の度合いを制御することを特徴とする請求項２に記載の画像処理装置。
【請求項６】
前記制御部は、前記ズーム倍率が大きくなるに従って、前記エッジ強調処理部によるエッジ強調の度合いを大きくすることを特徴とする請求項５に記載の画像処理装置。
【請求項７】
前記解像度変換が、電子ズーミング処理における画素の補間処理による解像度変換である場合、
前記受信部は、前記解像度変換情報として、補間処理により補間された画素数を示す情報を受信し、
前記制御部は、補間処理により補間された画素数が大きくなるに従って、前記エッジ強調処理部によるエッジ強調の度合いを大きくすることを特徴とする請求項２に記載の画像処理装置。
【請求項８】
前記エッジ強調処理情報が、前記解像度変換に伴ってエッジ強調が行われたことを示す情報である場合、
前記制御部は、前記エッジ強調処理部によるエッジ強調の度合いを、予め定められた度合いに制御することを特徴とする請求項２に記載の画像処理装置。
【請求項９】
前記エッジ強調処理部によりエッジ強調が行われた前記画像を印刷する印刷部をさらに備えることを特徴とする請求項２に記載の画像処理装置。
【請求項１０】
画像に対して画像処理を行う画像処理方法であって、
前記画像、前記画像に対して行われた解像度変換の処理内容を示す解像度変換情報、及び前記画像に対して行われたエッジ強調が解像度変換の前に行われたか後に行われたかを示す情報を含むエッジ強調処理情報を受信する受信段階と、
前記画像に対してエッジ強調を行うエッジ強調処理段階と、
前記解像度変換情報及び前記エッジ強調処理情報に基づいて、前記エッジ強調処理段階におけるエッジ強調の度合いを制御する制御段階と
を備えることを特徴とする画像処理方法。
【請求項１１】
前記制御段階は、前記解像度変換情報が示す解像度変換の大きさが大きくなるに従って、前記エッジ強調処理段階におけるエッジ強調の度合いを大きくすることを特徴とする請求項１０に記載の画像処理方法。
【請求項１２】
前記解像度変換が、電子ズーミング処理における画素の補間処理による解像度変換である場合、
前記受信段階は、前記解像度変換情報として、前記電子ズーミング処理によるズーム倍率を示す情報を受信し、
前記制御段階は、前記ズーム倍率に基づいて、前記エッジ強調処理段階におけるエッジ強調の度合いを制御することを特徴とする請求項１０に記載の画像処理方法。
【請求項１３】
画像に対して画像処理を行う画像処理装置用のプログラムであって、コンピュータを、
前記画像、前記画像に対して行われた解像度変換の処理内容を示す解像度変換情報、及び前記画像に対して行われたエッジ強調が解像度変換の前に行われたか後に行われたかを示す情報を含むエッジ強調処理情報を受信する受信部、
前記画像に対してエッジ強調を行うエッジ強調処理部、及び
前記解像度変換情報及び前記エッジ強調処理情報に基づいて、前記エッジ強調処理部によるエッジ強調の度合いを制御する制御部
として機能させることを特徴とするプログラム。
【請求項１４】
前記制御部は、前記解像度変換情報が示す解像度変換の大きさが大きくなるに従って、前記エッジ強調処理部によるエッジ強調の度合いを大きくすることを特徴とする請求項１３に記載のプログラム。
【請求項１５】
前記解像度変換が、電子ズーミング処理における画素の補間処理による解像度変換である場合、
前記受信部は、前記解像度変換情報として、前記電子ズーミング処理によるズーム倍率を示す情報を受信し、
前記制御部は、前記ズーム倍率に基づいて、前記エッジ強調処理部によるエッジ強調の度合いを制御することを特徴とする請求項１３に記載のプログラム。
【発明の詳細な説明】
【０００１】
【発明の属する技術分野】
本発明は、画像処理システム、撮像装置、画像処理装置、画像処理方法、及びプログラムに関する。特に本発明は、撮像された画像に対して適切な画像処理を行う画像処理システムに関する。
【０００２】
【従来の技術】
従来のデジタルカメラは、電子ズームを使用して撮像した画像に対して、画像のエッジ（輪郭）を際立たせるための画像処理であるエッジ強調を行っている。エッジ強調の処理内容は、デジタルカメラの機種によって様々である。例えば、電子ズームのズーム倍率に関係なく、エッジ強調の強度が固定的なデジタルカメラや、電子ズームのズーム倍率に応じてエッジ強調の強度が変動的なデジタルカメラがある。また、従来のプリンタは、デジタルカメラで撮像された画像に対して所定のエッジ強調を施して印刷している。
【０００３】
【発明が解決しようとする課題】
しかしながら、従来のプリンタは、撮像装置において電子ズームのズーム倍率に関係なく固定的な強度のエッジ強調が施された画像であるか、又は電子ズームのズーム倍率に応じて変動的な強度のエッジ強調が施された画像であるかに関係なく、デジタルカメラで撮像された画像に対して所定のエッジ強調を行うため、望ましいエッジ強調が施されずに印刷してしまう場合がある。
【０００４】
そこで本発明は、上記の課題を解決することのできる画像処理システム、撮像装置、画像処理装置、画像処理方法、及びプログラムを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、被写体の画像を撮像する撮像装置と、画像に対して画像処理を行う画像処理装置とを備える画像処理システムであって、撮像装置は、画像を撮像する撮像部と、画像に対して解像度変換を行う解像度変換部と、解像度変換部による解像度変換の処理内容を示す情報である解像度変換情報を、画像に対応づけて格納する格納部と、解像度変換された画像に対応づけて、解像度変換情報を出力する出力部とを備え、画像処理装置は、画像及び解像度変換情報を受信する受信部と、画像に対してエッジ強調を行うエッジ強調処理部と、解像度変換情報に基づいて、エッジ強調処理部によるエッジ強調の度合いを制御する制御部とを備える。
【０００６】
撮像装置は、画像に対してエッジ強調を行うエッジ強調処理部をさらに備え、撮像装置において、格納部は、エッジ強調処理部によるエッジ強調の処理内容を示す情報であるエッジ強調処理情報を、画像に対応づけてさらに格納し、出力部は、画像に対応づけて、エッジ強調処理情報をさらに出力し、画像処理装置において、受信部は、エッジ強調処理情報をさらに受信し、制御部は、エッジ強調処理情報にさらに基づいて、エッジ強調処理部によるエッジ強調の度合いを制御してもよい。
【０００７】
本発明の第２の形態によると、被写体を撮像する撮像装置であって、画像を撮像する撮像部と、画像に対して解像度変換を行う解像度変換部と、解像度変換部による解像度変換の処理内容を示す情報である解像度変換情報を、画像に対応づけて格納する格納部とを備える。
【０００８】
解像度変換部は、電子ズーミング処理における画素の補間処理によって画像の解像度を変換し、格納部は、解像度変換情報として、電子ズーミング処理によるズーム倍率を示す情報を格納してもよい。
【０００９】
画像に対してエッジ強調を行うエッジ強調処理部をさらに備え、格納部は、エッジ強調処理部によるエッジ強調の処理内容を示す情報であるエッジ強調処理情報を、画像に対応づけてさらに格納してもよい。
【００１０】
解像度変換された画像に対応づけて、解像度変換情報及びエッジ強調処理情報を出力する出力部をさらに備えてもよい。
【００１１】
本発明の第３の形態によると、画像に対して画像処理を行う画像処理装置であって、画像と、画像に対して行われた解像度変換の処理内容を示す解像度変換情報とを受信する受信部と、画像に対してエッジ強調を行うエッジ強調処理部と、解像度変換情報に基づいて、エッジ強調処理部によるエッジ強調の度合いを制御する制御部とを備える。
【００１２】
制御部は、解像度変換情報が示す解像度変換の大きさが大きくなるに従って、エッジ強調処理部によるエッジ強調の度合いを大きくしてもよい。
【００１３】
解像度変換が、電子ズーミング処理における画素の補間処理による解像度変換である場合、受信部は、解像度変換情報として、電子ズーミング処理によるズーム倍率を示す情報を受信し、制御部は、ズーム倍率に基づいて、エッジ強調処理部によるエッジ強調の度合いを制御してもよい。
【００１４】
制御部は、ズーム倍率が大きくなるに従って、エッジ強調処理部によるエッジ強調の度合いを大きくしてもよい。
【００１５】
受信部は、画像に対して行われたエッジ強調の処理内容を示す情報であるエッジ強調処理情報をさらに受信し、制御部は、エッジ強調処理情報にさらに基づいて、エッジ強調処理部によるエッジ強調の度合いを制御してもよい。
【００１６】
エッジ強調処理情報が、解像度変換に伴ってエッジ強調が行われたことを示す情報である場合、制御部は、エッジ強調処理部によるエッジ強調の度合いを、予め定められた度合いに制御してもよい。
【００１７】
エッジ強調処理部によりエッジ強調が行われた画像を印刷する印刷部をさらに備えてもよい。
【００１８】
本発明の第４の形態によると、画像に対して画像処理を行う画像処理方法であって、画像と、画像に対して行われた解像度変換の処理内容を示す解像度変換情報とを受信する受信段階と、画像に対してエッジ強調を行うエッジ強調処理段階と、解像度変換情報に基づいて、エッジ強調処理段階におけるエッジ強調の度合いを制御する制御段階とを備える。
【００１９】
本発明の第５の形態によると、被写体を撮像する撮像装置用のプログラムであって、撮像装置に、画像を撮像させる撮像モジュールと、画像に対して解像度変換を行わせる解像度変換モジュールと、解像度変換モジュールによる解像度変換の処理内容を示す情報である解像度変換情報を、画像に対応づけて格納させる格納モジュールとを備える。
【００２０】
本発明の第６の形態によると、画像に対して画像処理を行う画像処理装置用のプログラムであって、画像処理装置に、画像と、画像に対して行われた解像度変換の処理内容を示す解像度変換情報とを受信させる受信モジュールと、画像に対してエッジ強調を行うエッジ強調処理モジュールと、解像度変換情報に基づいて、エッジ強調処理モジュールによるエッジ強調の度合いを制御する制御モジュールとを備える。
【００２１】
なお上記の発明の概要は、本発明の必要な特徴の全てを列挙したものではなく、これらの特徴群のサブコンビネーションも又発明となりうる。
【００２２】
【発明の実施の形態】
以下、発明の実施の形態を通じて本発明を説明するが、以下の実施形態はクレームにかかる発明を限定するものではなく、また実施形態の中で説明されている特徴の組み合わせの全てが発明の解決手段に必須であるとは限らない。
【００２３】
図１は、本発明の一実施形態に係る画像処理システムの一例を示す。画像処理システムは、デジタルカメラ１０、プリンタ１２、及びパーソナルコンピュータ１４を備える。デジタルカメラ１０、プリンタ１２、及びパーソナルコンピュータ１４は、互いにデータ伝送路を介してデータの送受信を行う。データ伝送路は、例えば、ＩＥＥＥ１３９４、ＵＳＢ等の有線インタフェースや、ＩｒＤＡ、ブルートゥース、無線ＬＡＮ等の無線インタフェースである。データ伝送路は、有線インタフェース及び無線インタフェースを複数用いたネットワーク網、例えばインターネット網であってもよい。また、デジタルカメラ１０、プリンタ１２、及びパーソナルコンピュータ１４間のデータの受け渡しは、リムーバブルメディア等の記録媒体を用いてもよい。
【００２４】
デジタルカメラ１０は、被写体の画像を撮像し、撮像した画像データをプリンタ１２又はパーソナルコンピュータ１４に送信する。また、デジタルカメラ１０は、被写体の画像を撮像した時の条件を示す情報である撮像条件情報を画像データに添付して、プリンタ１２又はパーソナルコンピュータ１４に送信する。プリンタ１２又はパーソナルコンピュータ１４は、受信した画像データに所定の画像処理を施して出力する。即ち、プリンタ１２は、画像データを印刷して出力し、パーソナルコンピュータ１４は、画像データをモニタに出力する。また、パーソナルコンピュータ１４は、デジタルカメラ１０又はプリンタ１２に設定情報を送信し、デジタルカメラ１０又はプリンタ１２の設定情報を変更する。
【００２５】
なお、デジタルカメラ１０は、撮像装置及び／又は画像処理装置の一例であり、プリンタ１２及びパーソナルコンピュータ１４は、画像処理装置の一例である。また、撮像装置は、静止画を撮影するデジタルスチルカメラであってもよく、動画を撮影するデジタルビデオカメラであってもよい。また、画像処理装置は、デジタルカメラで撮影した画像の画質等を自動調整して印刷するラボ用印刷装置であってもよい。また、本発明の画像処理装置は、ＣＲＴ、液晶ディスプレイ、プラズマディスプレイ、各種電子ペーパ、有機ＥＬディスプレイ等の表示デバイスを備え、表示デバイスが出力する画像の画像処理を行ってもよい。
【００２６】
図２は、本実施形態に係るデジタルカメラ１０の機能構成の一例を示す。デジタルカメラ１０は、被写体の画像を撮像する撮像部２０と、撮像された画像を示す画像データを格納する格納部１２０と、画像の解像度を変換する解像度変換部１５０と、画像のエッジ強調を行うエッジ強調処理部１６０と、画像データを外部機器に出力する出力部１７０とを備える。
【００２７】
解像度変換部１５０は、格納部１２０に格納された画像の解像度を変換する。解像度変換部１５０は、例えば電子ズーミング処理における画素の補間処理によって画像の解像度を変換する。また、解像度変換部１５０は、格納部１２０に格納された画像の記録画素数の変更によって画像の解像度を変換してもよい。ここでの電子ズーミング処理は、撮像部２０が取得した画像の一部をトリミングし、トリミングされた画像に画素の補間処理を行うことをいう。さらにここでの画素の補間処理は、画像の画素数を増加させる補間処理であってもよいし、減少させる補間処理であってもよい。
【００２８】
エッジ強調処理部１６０は、格納部１２０に格納された画像に対してエッジ強調を行う。エッジ強調処理部１６０は、格納部１２０が撮像部２０から受け取った画像に対してエッジ強調を行ってもよいし、格納部１２０が撮像部２０から受け取り解像度変換部１５０によって解像度変換された画像に対してエッジ強調を行ってもよい。
【００２９】
格納部１２０は、解像度変換部１５０による解像度変換の処理内容を示す情報である解像度変換情報、及びエッジ強調処理部１６０によるエッジ強調の処理内容を示すエッジ強調処理情報を画像に対応づけて格納する。格納部１２０は、解像度変換情報として、例えば電子ズーミング処理が行われたか否かを示す情報、電子ズーミング処理におけるズーム倍率を示す情報、解像度変換前後の解像度を示す情報、補間処理により補間された画素数を示す情報等のうちの少なくとも１つを格納する。また、格納部１２０は、エッジ強調処理情報として、例えばエッジ強調が行われた否かを示す情報、エッジ強調が解像度変換の前に行われたか後に行われたかを示す情報、エッジ強調が解像度変換に伴ってエッジ強調が行われたか否かを示す情報、画像に施されたエッジ強調の度合いを示す情報等のうちの少なくとも１つを格納する。
【００３０】
出力部１７０は、画像データに対応づけて、当該画像データの解像度変換情報及びエッジ強調処理情報をメモリカードやプリンタ１２等の外部機器に出力する。
【００３１】
図３は、出力部１７０が出力するデータのフォーマットの一例を示す。出力部１７０が出力するデータは、撮像条件情報２００、解像度変換情報２１０、エッジ強調処理情報２２０、付帯情報２３０、及び画像データ２４０を有する。撮像条件情報２００は、撮像された被写体の輝度を示す輝度値、撮像時にストロボが焚かれたか否かを示すフラッシュ情報、撮像時のデジタルカメラ１０から被写体まで距離を示す被写体距離情報、撮像時の焦点距離を示す焦点距離情報等である。
【００３２】
また、解像度変換情報２１０は、例えば電子ズーミング処理が行われたか否かを示す情報、電子ズーミング処理におけるズーム倍率を示す情報、解像度変換前後の解像度を示す情報、補間処理により補間された画素数を示す情報等のうちの少なくとも１つである。また、エッジ強調処理情報２２０は、例えばエッジ強調が行われた否かを示す情報、エッジ強調が解像度変換の前に行われたか後に行われたかを示す情報、エッジ強調が解像度変換に伴ってエッジ強調が行われたか否かを示す情報、画像に施されたエッジ強調の度合いを示す情報等のうちの少なくとも１つである。
【００３３】
また、付帯情報２３０は、デジタルカメラ１０のメーカ情報、機種情報、画像が撮像された日付を示す日付情報、画像が撮像された位置を示す位置情報等である。また、画像データ２４０は、画像を示すデータであり、例えばＪＰＥＧ形式のデータである。
【００３４】
図４は、本実施形態に係るプリンタ１２の機能構成の一例を示す。プリンタ１２は、受信部３００、画像処理部３１０、制御部３２０、及び印刷部３３０を備える。画像処理部３１０は、濃度処理部３１２、エッジ強調処理部３１４、及びカラーバランス補正処理部３１６を有する。
【００３５】
受信部３００は、画像を示す画像データ、当該画像に対して行われた解像度変換の処理内容を示す解像度変換情報、及び当該画像に対して行われたエッジ強調の処理内容を示すエッジ強調処理情報を受信する。また、受信部３００は、撮像条件情報及び付加情報をさらに受信してもよい。具体的には、受信部３００は、解像度変換情報として、電子ズーミング処理が行われたか否かを示す情報、電子ズーミング処理におけるズーム倍率を示す情報、解像度変換前後の解像度を示す情報、補間処理により補間された画素数を示す情報等のうちの少なくとも１つを受信する。また、受信部３００は、エッジ強調処理情報として、エッジ強調が行われたか否かを示す情報、エッジ強調が解像度変換の前に行われたか後に行われたかを示す情報、エッジ強調が解像度変換に伴ってエッジ強調が行われたか否かを示す情報、画像に施されたエッジ強調の度合いを示す情報等のうちの少なくとも１つを受信する。
【００３６】
画像処理部３１０は、受信部３００が受信した画像データを示す画像に対して複数の種類の画像処理を行う。具体的には、濃度処理部３１２は、画像の濃度処理を行う。エッジ強調処理部３１４は、画像のエッジ強調を行う。カラーバランス補正処理部３１６は、画像のカラーバランスの補正処理を行う。
【００３７】
制御部３２０は、受信部３００が受信した各種情報に基づいて、画像処理部３１０による画像処理の内容を変更すべく、画像処理部３１０を制御する。特に、制御部３２０は、受信部３００が受信した解像度変換情報に基づいて、エッジ強調処理部３１４によるエッジ強調の度合いを制御する。具体的には、制御部３２０は、解像度変換情報が示す解像度変換の大きさが大きくなるに従って、エッジ強調処理部３１４によるエッジ強調の度合いを大きくする。
【００３８】
例えば、解像度変換情報が電子ズーミング処理におけるズーム倍率を示す情報である場合、制御部３２０は、ズーム倍率が大きくなるに従って、エッジ強調処理部３１４によるエッジ強調処理の度合いを大きくする。また、解像度変換情報が電子ズーミング処理が行われたか否かを示す情報である場合、制御部３２０は、電子ズーミング処理が行われていない画像に比べて、電子ズーミング処理が行われた画像に対して、エッジ強調処理部３１４によるエッジ強調処理の度合いを大きくする。また、解像度変換情報が解像度変換前後の解像度を示す情報である場合、制御部３２０は、解像度変換前後の解像度の差が大きくなるに従って、エッジ強調処理部３１４によるエッジ強調処理の度合いを大きくする。また、解像度変換情報が補間処理により補間された画素数を示す情報である場合、制御部３２０は、補間された画素数が大きくなるに従って、エッジ強調処理部３１４によるエッジ強調処理の度合いを大きくする。
【００３９】
また、制御部３２０は、受信部３００が受信したエッジ強調処理情報に基づいて、エッジ強調処理部３１４によるエッジ強調の度合いを制御する。例えば、エッジ強調処理情報がエッジ強調が行われた否かを示す情報である場合、制御部３２０は、エッジ強調が行われていない画像に比べ、エッジ強調が行われた画像に対して、エッジ強調処理部３１４によるエッジ強調処理の度合いを大きくする。また、エッジ強調が解像度変換の前に行われたか後に行われたかを示す情報である場合、制御部３２０は、解像度変換の後にエッジ強調が行われた画像に比べ、解像度変換の後にエッジ強調が行われた画像に対して、エッジ強調処理部３１４によるエッジ強調処理の度合いを大きくする。エッジ強調が解像度変換に伴ってエッジ強調が行われたか否かを示す情報である場合、制御部３２０は、エッジ強調処理部３１４によるエッジ強調の度合いを、プリンタ１２において予め定められた度合いに制御する。ここでの予め定められた度合いとは、工場出荷時に設定されたエッジ強調の強度、又はプリンタ１２のユーザによって設定されたエッジ強調の強度である。また、エッジ強調処理情報が画像に施されたエッジ強調の度合いを示す情報である場合、制御部３２０は、画像に施されたエッジ強調の度合いが大きくなるに従って、エッジ強調処理部３１４によるエッジ強調処理の度合いを小さくする。
【００４０】
印刷部３３０は、画像処理部３１０において画像処理が施された画像を印刷する。
【００４１】
図５は、本実施形態に係るプリンタ１２の動作の一例を示すフローチャートである。まず、受信部３００は、画像データ、解像度変換情報、及びエッジ強調処理情報を受信する（Ｓ１００）。そして、制御部３２０は、Ｓ１００において受信部３００が受信した解像度変換情報及びエッジ強調処理情報を解析する（Ｓ１０２）。そして、制御部３２０は、解像度変換情報及びエッジ強調処理情報に基づいて、解像度変換の大きさに伴ってエッジ強調が行われているか否かを判断する（Ｓ１０４）。
【００４２】
Ｓ１０４において、解像度変換の大きさに伴ってエッジ強調が行われていると判断された場合、制御部３２０は、エッジ強調処理部３１４によるエッジ強調の度合いを予め定められた度合いに制御する。そして、エッジ強調処理部３１４は、制御部３２０の制御に基づき、予め定められた度合いで、画像に対してエッジ強調を行う（Ｓ１０６）。また、Ｓ１０４において、解像度変換の大きさに伴ってエッジ強調が行われていないと判断された場合、制御部３２０は、解像度変換情報が示す解像度変換の大きさに基づいて、エッジ強調処理部３１４によるエッジ強調の度合いを制御する。そして、エッジ強調処理部３１４は、制御部３２０の制御に基づき、制御部３２０が指示する度合いで、画像に対してエッジ強調を行う（Ｓ１０８）。そして、印刷部３３０は、エッジ強調処理部３１４によりエッジ強調が行われた画像を、印刷用のデータ形式に変換して印刷する（Ｓ１１０）。以上で、本例のプリンタ１２の動作のフローチャートは終了する。
【００４３】
図６は、本実施形態に係るパーソナルコンピュータ１４のハードウェア構成の一例を示す。パーソナルコンピュータ１４は、ＣＰＵ７００と、ＲＯＭ７０２と、ＲＡＭ７０４と、通信インタフェース７０６と、ハードディスクドライブ７０８と、データベースインタフェース７１０と、フロッピーディスクドライブ７１２と、ＣＤ−ＲＯＭドライブ７１４とを備える。ＣＰＵ７００は、ＲＯＭ７０２及びＲＡＭ７０４に格納されたプログラムに基づいて動作し、各部の制御を行う。通信インタフェース７０６は、デジタルカメラ１０及びプリンタ１２と通信する。データベースインタフェース７１０は、データベースへのデータの書込、及びデータベースの内容の更新を行う。
【００４４】
フロッピーディスクドライブ７１２は、フロッピーディスク７２０からデータ又はプログラムを読み取り通信インタフェース７０６に提供する。ＣＤ−ＲＯＭドライブ７１４は、ＣＤ−ＲＯＭ７２２からデータ又はプログラムを読み取り通信インタフェース７０６に提供する。通信インタフェース７０６は、フロッピーディスクドライブ７１２又はＣＤ−ＲＯＭドライブ７１４から提供されたデータ又はプログラムを、デジタルカメラ１０又はプリンタ１２に送信する。データベースインタフェース７１０は、各種データベース７２４と接続してデータを送受信する。
【００４５】
プリンタ１２に提供されるプログラムは、フロッピーディスク７２０又はＣＤ−ＲＯＭ７２２等の記録媒体に格納されて利用者によって提供される。記録媒体に格納されたプログラムは圧縮されていても非圧縮であってもよい。プログラムは記録媒体から読み出され、通信インタフェース７０６を介して、デジタルカメラ１０又はプリンタ１２にインストールされ、デジタルカメラ１０又はプリンタ１２において実行される。
【００４６】
記録媒体に格納されて提供され、デジタルカメラ１０にインストールされるプログラムは、機能構成として、撮像モジュールと、解像度変換モジュールと、格納モジュールと、エッジ強調処理モジュールと、出力モジュールとを有する。各モジュールがデジタルカメラ１０に働きかけて行わせる動作は、図１から図５において説明したデジタルカメラ１０における、対応する部材の動作と同一であるから、説明を省略する。
【００４７】
また、記録媒体に格納されて提供され、プリンタ１２にインストールされるプログラムは、機能構成として、受信モジュールと、エッジ強調処理モジュールと、制御モジュールと、印刷モジュールとを有する。各モジュールがプリンタ１２に働きかけて行わせる動作は、図１から図５において説明したプリンタ１２における、対応する部材の動作と同一であるから、説明を省略する。
【００４８】
図６に示した記録媒体の一例としてのフロッピーディスク７２０又はＣＤ−ＲＯＭ７２２には、本出願で説明した実施形態におけるデジタルカメラ１０又はプリンタ１２の動作の一部又は全ての機能を格納することができる。
【００４９】
これらのプログラムは記録媒体から直接デジタルカメラ１０又はプリンタ１２によって読み出されて実行されても、デジタルカメラ１０又はプリンタ１２にインストールされた後にデジタルカメラ１０又はプリンタ１２において実行されてもよい。更に、上記プログラムは単一の記録媒体に格納されても複数の記録媒体に格納されてもよい。また、符号化した形態で格納されていてもよい。
【００５０】
記録媒体としては、フロッピーディスク、ＣＤ−ＲＯＭの他にも、ＤＶＤ、ＰＤ等の光学記録媒体、ＭＤ等の光磁気記録媒体、テープ媒体、磁気記録媒体、ＩＣカードやミニチュアカードなどの半導体メモリ等を用いることができる。また、専用通信ネットワークやインターネットに接続されたサーバシステムに設けたハードディスク又はＲＡＭ等の格納装置を記録媒体として使用し、通信網を介してプログラムをデジタルカメラ１０又はプリンタ１２に提供してもよい。このような記録媒体は、デジタルカメラ１０又はプリンタ１２を製造するためのみに使用されるものであり、そのような記録媒体の業としての製造及び販売等が本出願に基づく特許権の侵害を構成することは明らかである。
【００５１】
図７は、本実施形態に係るデジタルカメラ１０の詳細な構成の一例を示す。デジタルカメラ１０は、撮像部２０、撮像制御部４０、システム制御部６０、表示部１００、操作部１１０、格納部１２０、外部接続部１３０、及び画像処理部１４０を備える。
【００５２】
撮像部２０は、撮影レンズ部２２、絞り２４、シャッタ２６、光学ＬＰＦ２８、ＣＣＤ３０、撮像信号処理部３２、ファインダ３４、及びストロボ３６を有する。
【００５３】
撮影レンズ部２２は、被写体像を取り込んで処理を施す。撮影レンズ部２２は、フォーカスレンズやズームレンズ等を含み、被写体像をＣＣＤ３０の受光面上に結像する。絞り２４は、撮影レンズ部２２を通過した光を絞り、光学ＬＰＦ２８は、絞り２４を通過した光に含まれる所定の波長より長い波長成分を通過させる。ＣＣＤ３０の各センサエレメントは、結像した被写体像の光量に応じ、電荷を蓄積する（以下その電荷を「蓄積電荷」という）。
【００５４】
シャッタ２６は、機械式シャッタであり、撮影レンズ部２２を通過した光をＣＣＤ３０に結像するか否かを制御する。また、デジタルカメラ１０は、シャッタ２６に代えて電子シャッタ機能を有してもよい。電子シャッタ機能を実現するために、ＣＣＤ３０のセンサエレメントは、シャッタゲート及びシャッタドレインを有する。シャッタゲートを駆動することにより、蓄積電荷がシャッタドレインに掃き出される。シャッタゲートの制御により、各センサエレメントに電荷を蓄積する時間、即ちシャッタスピードを制御できる。ＣＣＤ３０において、蓄積電荷は、リードゲートパルスによってシフトレジスタに読み出され、レジスタ転送パルスによって電圧信号として順次読み出される。
【００５５】
撮像信号処理部３２は、ＣＣＤ３０から出力される被写体像を示す電圧信号、即ちアナログ信号をＲ、Ｇ、Ｂ成分に色分解する。そして、撮像信号処理部３２は、Ｒ、Ｇ、Ｂ成分を調整することにより、被写体像のホワイトバランスを調整する。撮像信号処理部３２は、被写体像のガンマ補正を行う。そして、撮像信号処理部３２は、Ｒ、Ｇ、Ｂ成分に分解されたアナログ信号をＡ／Ｄ変換し、その結果得られた被写体像のデジタルの画像データ（以下「デジタル画像データ」という）をシステム制御部６０へ出力する。
【００５６】
ファインダ３４は、表示手段を有してもよく、後述のメインＣＰＵ６２等からの各種情報をファインダ３４内に表示してもよい。ストロボ３６は、コンデンサに蓄えられたエネルギを放電する放電管３７を有し、放電管３７にエネルギが供給されたとき放電管３７が発光することで機能する。
【００５７】
撮像制御部４０は、レンズ駆動部４２、フォーカス駆動部４４、絞り駆動部４６、シャッタ駆動部４８、それらを制御する撮像系ＣＰＵ５０、測距センサ５２、及び測光センサ５４を有する。レンズ駆動部４２、フォーカス駆動部４４、絞り駆動部４６、及びシャッタ駆動部４８は、それぞれステッピングモータ等の駆動手段を有し、撮像部２０に含まれる機構部材を駆動する。後述のレリーズスイッチ１１４の押下に応じ、測距センサ５２は被写体までの距離を測定し、測光センサ５４は被写体輝度を測定する。そして、測距センサ５２及び測光センサ５４は、測定された被写体までの距離のデータ（以下単に「測距データ」という）及び被写体輝度のデータ（以下単に「測光データ」という）を、それぞれ撮像系ＣＰＵ５０に供給する。
【００５８】
撮像系ＣＰＵ５０は、ユーザから指示されたズーム倍率等の撮影情報に基づき、レンズ駆動部４２及びフォーカス駆動部４４を制御して撮影レンズ２２のズーム倍率とピントの調整を行う。また、撮像系ＣＰＵ５０は、測距センサ５２から受け取った測距データ及び／又は測光センサ５４から受け取った測光データに基づいて、レンズ駆動部４２及びフォーカス駆動部４４を制御してズーム倍率及びピントの調整を行ってもよい。
【００５９】
撮像系ＣＰＵ５０は、１画像フレームのＲＧＢのデジタル信号積算値、即ち自動露出情報に基づいて絞り値及びシャッタスピードを決定する。決定された値に従い、絞り駆動部４６及びシャッタ駆動部４８は、絞り２４の絞り量及びシャッタ２６の開閉をそれぞれ制御する。
【００６０】
また、撮像系ＣＰＵ５０は、測光データに基づいてストロボ３６の発光を制御し、同時に絞り２４の絞り量を調整する。ユーザが映像の取込を指示したとき、ＣＣＤ３０は電荷蓄積を開始し、測光データから計算されたシャッタ時間の経過後、蓄積電荷を撮像信号処理部３２へ出力する。
【００６１】
システム制御部６０は、メインＣＰＵ６２、キャラクタ生成部８４、タイマ８６、及びクロック発生部８８を有する。メインＣＰＵ６２は、デジタルカメラ１０全体、特にシステム制御部６０を制御する。メインＣＰＵ６２は、シリアル通信等により、撮像系ＣＰＵ５０との間で必要な情報の受け渡しをする。
【００６２】
クロック発生部８８は、メインＣＰＵ６２の動作クロックを発生し、メインＣＰＵ６２に供給する。また、クロック発生部８８は、撮像系ＣＰＵ５０及び表示部１００の動作クロックを発生する。クロック発生部８８は、メインＣＰＵ６２、撮像系ＣＰＵ５０、及び表示部１００に対してそれぞれ異なる周波数の動作クロックを供給してもよい。
【００６３】
キャラクタ生成部８４は、撮影日時、タイトル等の撮影画像に合成する文字情報や、図形情報を生成する。タイマ８６は、例えば電池等でバックアップされ、常に時間をカウントし、当該カウント値に基づいて撮影画像の撮影日時に関する情報等の時刻情報をメインＣＰＵ６２に供給する。タイマ８６は、蓄電池から供給された電力により、デジタルカメラ本体の電源がオフである場合にも時間をカウントするのが望ましい。また、キャラクタ生成部８４及びタイマ８６は、メインＣＰＵ６２に併設されることが好ましい。
【００６４】
格納部１２０は、メモリ制御部６４、不揮発性メモリ６６、及びメインメモリ６８を有する。メモリ制御部６４は、不揮発性メモリ６６とメインメモリ６８とを制御する。不揮発性メモリ６６は、ＥＥＰＲＯＭ（電気的消去及びプログラム可能なＲＯＭ）やＦＬＡＳＨメモリ等で構成され、ユーザによる設定情報や出荷時の調整値等、デジタルカメラ１０の電源がオフの間も保持すべきデータを格納する。不揮発性メモリ６６は、メインＣＰＵ６２のブートプログラムやシステムプログラム等を格納してもよい。
【００６５】
メインメモリ６８は、ＤＲＡＭのように比較的安価で容量の大きなメモリで構成されることが好ましい。メインメモリ６８は、撮像部２０から出力されたデータを格納するフレームメモリとしての機能、各種プログラムをロードするシステムメモリとしての機能、その他ワークエリアとしての機能を有する。不揮発性メモリ６６及びメインメモリ６８は、システム制御部６０内外の各部とバス８２を介してデータのやりとりを行う。不揮発性メモリ６６は、デジタル画像データを更に格納してもよい。
【００６６】
画像処理部１４０は、ＹＣ処理部７０、エンコーダ７２、及び圧縮伸張処理部７８を有する。また、外部接続部１３０は、オプション装置制御部７４、及び通信Ｉ／Ｆ部８０を有する。エンコーダ７２、オプション装置制御部７４、及び通信Ｉ／Ｆ部８０は、出力部１７０の一例である。
【００６７】
ＹＣ処理部７０は、デジタル画像データにＹＣ変換を施し、輝度信号Ｙ、並びに色差（クロマ）信号Ｂ−Ｙ及びＲ−Ｙを生成する。メインメモリ６８は、メモリ制御部６４の制御に基づいて、輝度信号及び色差信号を格納する。
【００６８】
圧縮伸張処理部７８は、メインメモリ６８から順次輝度信号と色差信号を読み出して圧縮する。そして、オプション装置制御部７４は、圧縮されたデジタル画像データ（以下単に「圧縮データ」という）をオプション装置７６の一例であるメモリカードへ書き込む。
【００６９】
エンコーダ７２は、輝度信号と色差信号を、ビデオ信号（ＮＴＳＣやＰＡＬ信号）に変換して端子９０から出力する。オプション装置７６に記録された圧縮データからビデオ信号を生成する場合、圧縮データは、まずオプション装置制御部７４を介して圧縮伸張処理部７８へ与えられる。続いて、圧縮伸張処理部７８で必要な伸張処理が施されたデータはエンコーダ７２によってビデオ信号へ変換される。
【００７０】
オプション装置制御部７４は、オプション装置７６が許容する信号仕様及びバス８２のバス仕様に従い、バス８２とオプション装置７６との間で必要な信号の生成、論理変換、及び／又は電圧変換等を行う。デジタルカメラ１０は、オプション装置７６として前述のメモリカードの他に、例えばＰＣＭＣＩＡ準拠の標準的なＩ／Ｏカードをサポートしてもよい。その場合、オプション装置制御部７４は、ＰＣＭＣＩＡ用バス制御ＬＳＩ等で構成してもよい。
【００７１】
通信Ｉ／Ｆ部８０は、デジタルカメラ１０がサポートする通信仕様、たとえばＵＳＢ、ＲＳ−２３２Ｃ、イーサネット等の仕様に応じたプロトコル変換等の制御を行う。通信Ｉ／Ｆ部８０は、圧縮データ又はデジタル画像データを、端子９２を介してネットワークを含む外部機器に出力してよい。通信Ｉ／Ｆ部８０は、必要に応じてドライバＩＣを含み、外部機器と端子９２を介して通信する。通信Ｉ／Ｆ部８０は、例えばプリンタ、カラオケ機、ゲーム機等の外部機器との間で独自のインタフェースによるデータ授受を行う構成としてもよい。
【００７２】
表示部１００は、ＬＣＤモニタ１０２、ＬＣＤパネル１０４、モニタドライバ１０６、及びパネルドライバ１０８を有する。モニタドライバ１０６は、ＬＣＤモニタ１０２を制御する。また、パネルドライバ１０８は、ＬＣＤパネル１０４を制御する。ＬＣＤモニタ１０２は、例えば２インチ程度の大きさでカメラ背面に設けられ、現在の撮影や再生のモード、撮影や再生のズーム倍率、電池残量、日時、モード設定のための画面、被写体画像等を表示する。ＬＣＤパネル１０４は例えば小さな白黒ＬＣＤでカメラ上面に設けられ、画質（ＦＩＮＥ／ＮＯＲＭＡＬ／ＢＡＳＩＣ等）、ストロボ発光／発光禁止、標準撮影可能枚数、画素数、電池容量／残量等の情報を表示する。
【００７３】
操作部１１０は、パワースイッチ１１２、レリーズスイッチ１１４、機能設定部１１６、及びズームスイッチ１１８を有する。パワースイッチ１１２は、ユーザの指示に基づいてデジタルカメラ１０の電源をオン／オフする。レリーズスイッチ１１４は、半押しと全押しの二段階押し込み構造を有する。一例として、レリーズスイッチ１１４が半押しされることにより、撮像制御部４０は、自動焦点調整及び自動露出調整を行い、全押しされることにより、撮像部２０は、被写体像を取り込む。
【００７４】
機能設定部１１６は、例えば回転式のモードダイヤルや十字キー等であって、「ファイルフォーマット」、「特殊効果」、「印画」、「決定／保存」、「表示切換」等の設定を受け付ける。ズームスイッチ１１８は、撮像部２０が取得する被写体像のズーム倍率の設定を受け付ける。
【００７５】
以上の構成による主な動作は以下のとおりである。まずパワースイッチ１１２が押下され、デジタルカメラ１０の各部に電力が供給される。メインＣＰＵ６２は、機能設定部１１６の状態を読み込むことで、デジタルカメラ１０が撮影モードにあるか再生モードにあるかを判断する。
【００７６】
デジタルカメラ１０が撮影モードの場合、メインＣＰＵ６２はレリーズスイッチ１１４の半押し状態を監視する。レリーズスイッチ１１４の半押し状態が検出されたとき、撮像系ＣＰＵ５０は測光センサ５４及び測距センサ５２からそれぞれ測光データと測距データを得る。撮像制御部４０は、撮像系ＣＰＵ５０が得た測光データ及び測距データに基づいて、撮像部２０のピント、絞り等を調整する。調整が完了すると、ＬＣＤモニタは、「スタンバイ」等の文字を表示してユーザにその旨を伝える。
【００７７】
続いて、メインＣＰＵ６２は、レリーズスイッチ１１４の全押し状態を監視する。レリーズスイッチ１１４の全押し状態が検出されたとき、所定のシャッタ時間をおいてシャッタ２６が閉じられ、ＣＣＤ３０の蓄積電荷が撮像信号処理部３２へ掃き出される。撮像信号処理部３２による処理の結果生成されたデジタル画像データはバス８２へ出力される。デジタル画像データは一旦メインメモリ６８へ格納され、この後ＹＣ処理部７０と圧縮伸張処理部７８で処理され、オプション装置制御部７４を経由してオプション装置７６へ記録される。記録されたデジタル画像データに基づく撮影画像は、フリーズされた状態でしばらくＬＣＤモニタ１０２に表示され、ユーザは撮影画像を確認することができる。以上で一連の撮影動作が完了する。
【００７８】
一方、デジタルカメラ１０が再生モードの場合、メインＣＰＵ６２は、メインメモリ６８、不揮発性メモリ６６、及び／又はオプション装置７６から撮影した撮影画像を読み出し、これを表示部１００のＬＣＤモニタ１０２へ表示する。
【００７９】
この状態でユーザが機能設定部１１６にて「順送り」、「逆送り」を指示すると、メインＣＰＵ６２は、メインメモリ６８、不揮発性メモリ６６、及び／又はオプション装置７６が格納した他の撮影画像を読み出し、これを表示部１００のＬＣＤモニタ１０２へ表示する。
【００８０】
本実施形態に係る画像処理システムによれば、デジタルカメラ１０が解像度変換情報及びエッジ強調処理情報を画像データに添付してプリンタ１２に出力することにより、プリンタ１２は、解像度変換情報及びエッジ強調処理情報に基づいて、デジタルカメラ１０において既に適切なエッジ強調が行われているか否かを判断することができる。そして、プリンタ１２は、画像に対してどの程度のエッジ強調を行うべきかを判断することができる。したがって、プリンタ１２は、画像に対して適切なエッジ強調することができ、所望の画像を印刷することができる。
【００８１】
以上、本発明を実施の形態を用いて説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【００８２】
【発明の効果】
上記説明から明らかなように、本発明によれば、撮像された画像に対して適切な画像処理を行う画像処理システムを提供することができる。
【図面の簡単な説明】
【図１】本発明の一実施形態に係る画像処理システムを示す図である。
【図２】本実施形態に係るデジタルカメラ１０の機能構成の一例を示す図である。
【図３】出力部１７０が出力するデータのフォーマットの一例を示す図である。
【図４】本実施形態に係るプリンタ１２の機能構成の一例を示す図である。
【図５】本実施形態に係るプリンタ１２の動作の一例を示すフローチャートである。
【図６】本実施形態に係るパーソナルコンピュータ１４のハードウェア構成の一例を示す図である。
【図７】本実施形態に係るデジタルカメラ１０の詳細な構成の一例を示す図である。
【符号の説明】
１０  デジタルカメラ
１２  プリンタ
１４  パーソナルコンピュータ
２０  撮像部
４０  撮像制御部
６０  システム制御部
１００  表示部
１１０  操作部
１２０  格納部
１３０  外部接続部
１４０  画像処理部
１５０  解像度変換部
１６０  エッジ強調処理部
１７０  出力部
２００  撮像条件情報
２１０  解像度変換情報
２２０  エッジ強調処理情報
２３０  付加情報
２４０  画像データ
３００  受信部
３１０  画像処理部
３１２  濃度処理部
３１４  エッジ強調処理部
３１６  カラーバランス補正処理部
３２０  制御部
３３０  印刷部
７００  ＣＰＵ
７０２  ＲＯＭ
７０４  ＲＡＭ
７０６  通信インタフェース
７０８  ハードディスクドライブ
７１０  データベースインタフェース
７１２  フロッピーディスクドライブ
７１４  ＣＤ−ＲＯＭドライブ
７２０  フロッピーディスク
７２２  ＣＤ−ＲＯＭ
７２４  各種データベース
【図１】
0004343468.tif 000002
【図２】
0004343468.tif 000003
【図３】
0004343468.tif 000004
【図４】
0004343468.tif 000005
【図５】
0004343468.tif 000006
【図６】
0004343468.tif 000007
【図７】
0004343468.tif 000008